(57)【要約】【課題】保管や輸送においてピンホールやエッジ切れにより破袋を起こすおそれがなく、内容物に対するクリーン度にも優れる、注出口付き包装袋を提供する。【解決手段】外装容器の内袋として使用される注出口付き包装袋１は、包装袋本体３に合成樹脂製注出口４が接合されており、包装袋本体３は外装容器内に収納可能であると共に、合成樹脂製注出口４の注出口係合部４１は、外装容器の開口部に着脱可能に係合する。包装袋本体３は、２枚以上のフィルムの外周辺にヒートシール部１０を形成して袋体とすると共に、このヒートシール部１０の上部のシール面間に、合成樹脂製注出口４の注出口取付部４０が好ましくは熱融着で接合されている。【選択図】図１
2008007154.tif 000002
【特許請求の範囲】
【請求項１】
外装容器の内袋として使用され、包装袋本体に注出口が接合されてなる注出口付き包装袋であって、
前記包装袋本体は外装容器内に収納可能であると共に、前記注出口は前記外装容器の開口部に着脱可能であり、
前記包装袋本体は、少なくとも２枚以上のフィルムの外周辺にヒートシール部を形成して袋体とすると共に、このヒートシール部の所定位置であって、前記ヒートシール部のシール面間に前記注出口の一部が接合されている注出口付き包装袋。
【請求項２】
前記注出口は、前記外装容器の開口部に係止して前記包装袋本体を支持可能に構成されている請求項１記載の注出口付き包装袋。
【請求項３】
前記注出口は、前記シール面で熱接合可能な合成樹脂製である請求項１又は２記載の注出口付き包装袋。
【請求項４】
前記注出口の一部は、前記シール面と面接合可能な注出口取付部を備える請求項１から３いずれか記載の注出口付き包装袋。
【請求項５】
前記面接合可能な注出口取付部は、全体として断面形状が凸レンズ状の柱体をなしており、この柱体の側面が接合面である請求項４記載の注出口付き包装袋。
【請求項６】
前記接合前の前記凸レンズ状の柱体の両終端部には板状のリブ部が延出して形成されており、このリブ部を含めて前記接合を行って得られる請求項５記載の注出口付き包装袋。
【請求項７】
前記注出口がポリエチレンであり、前記包装袋本体の前記シール面はポリエチレンである請求項１から６いずれか記載の注出口付き包装袋。
【請求項８】
前記シール面のポリエチレンが、メタロセン触媒により重合した直鎖状低密度ポリエチレンである請求項７記載の注出口付き包装袋。
【請求項９】
前記注出口がフッ素系樹脂であり、前記包装袋本体の前記シール面はフッ素系樹脂である請求項１から６いずれか記載の注出口付き包装袋。
【請求項１０】
前記包装袋本体は、外層フィルムと内層フィルムとを少なくとも重ね合わせた多重フィルムを、前記内層フィルム同士が対向するように重ねて外周辺にヒートシール部を形成してなる請求項１から９いずれか記載の注出口付き包装袋。
【請求項１１】
前記内層フィルムが、ポリアミド層を芯層にして、該芯層の両面に接着層を介して熱接着性樹脂層を形成した共押出しフィルムである請求項１０記載の注出口付き包装袋。
【請求項１２】
前記外層フィルムが、二軸延伸ポリアミドフィルムの一方の面に接着剤を介して熱接着性樹脂層を形成した積層フィルムである請求項１０又は１１記載の注出口付き包装袋。
【請求項１３】
前記包装袋本体は、前記ヒートシール部の内縁の角部が円弧状に形成されている請求項１から１２いずれか記載の注出口付き包装袋。
【請求項１４】
レジスト液を収容するために用いられる請求項１から１３いずれか記載の注出口付き包装袋。
【請求項１５】
前記レジスト液の体積収容量が１Ｌ以上２５０Ｌ以下である請求項１４記載の注出口付き包装袋。
【発明の詳細な説明】
【技術分野】
【０００１】
本発明は、外装容器内に収容して使用される注出口付き包装袋に関するものであり、さらに詳しくは、工業薬品分野、医薬品や化粧品原料分野等で流動性内容物の保管や輸送に供せられる外装容器内に収容して使用される注出口付き包装袋に関するものである。
【背景技術】
【０００２】
従来、工業薬品分野、医薬品や化粧品原料分野等で、保管や輸送にアルミニウム、スチール、ステンレス、ファイバーボード等で作られた外装容器の内部に流動性内容物を収容する注出口付き包装袋を収容した容器が使用されている。
【０００３】
このような容器は、使用済みの包装袋を外装容器から取り出し、新たな包装袋を外装容器内にセットするだけで再使用することができるために、例えば、包装袋を使用せずに直にスチール等の外装容器に流動性内容物を充填する場合に比べて、洗浄する手間等が省けるなどの利点があり、工業薬品、医薬品や化粧品原料の容器として広く使用されている（例えば、特許文献１、２参照）。
【０００４】
特許文献１に開示された容器は、外装容器の内部に高純度薬品を収容するための内袋を有し、外装容器には高純度薬品を出し入れするための開口部と、圧力調整用流体を入れるための開口部とが設けられ、内袋は内袋本体と高純度薬品の出し入れ口とから構成され、出し入れ口は硬質外装容器の開口部に連通して設けられ、内袋外部から高純度薬品を導入及び排出するためのインナーパイプが挿入され、２つの開口部にはそれぞれ栓体が嵌められ、取っ手が設けられている。
【０００５】
特許文献１に開示された内袋は、インフレーション成形機を使用して製造された筒状フィルムを所定の長さに切断し、所定の長さに切断した筒状フィルムの外周に穴を開け、その穴に出し入れ口を通して底部装着リングの部分でヒートシールして固着され、その後にフィルムの両端をヒートシールすることにより製造され、内袋本体に出し入れ口を備えた構成からなるものである。
【０００６】
また、特許文献２に開示された容器は、特許文献１と同様に、外装容器（特許文献２でいうところのドラム缶）内に取付部材を備えたバッグが前記取付部材を蓋に切設（穿孔された）された栓口に挿入され、螺条つきリングなどを用いて蓋体に取り付けられ、その後にドラム缶本体に装着される。
【０００７】
特許文献１に開示された内袋及び特許文献２でいうところのバッグは、図８に示すように、いずれも外周エッジ周りをヒートシールしてヒートシール部５０１が形成され、内袋（あるいはバッグ）５００の中心から外れた、一方の短辺側の袋の面の一部に穴を開けて、その穴に出し入れ口（あるいは取付部材）５０２を挿入し、出し入れ口（あるいは取付部材）５０２の底部に設けられた底部装着リング５０３においてヒートシールされて取り付けられているものである。
【特許文献１】特開平９−９５５６５号公報
【特許文献２】特表平５−５０５３７２号公報
【発明の開示】
【発明が解決しようとする課題】
【０００８】
しかしながら、特許文献１の容器は、外装容器の開口部に内袋の出し入れ口が挿入されて何等かの固定手段により出し入れ口が開口部で支持される構造であり、また、特許文献２の容器は、蓋に切設（穿孔された）された栓口に取付部材が挿入され、螺条つきリングなどを用いて蓋体に取り付けられる構造であり、いずれの場合においても内袋あるいはバッグは出し入れ口あるいは取付部材で支持されて吊下げられた状態で保管、輸送されるために、流動性内容物の重量がヒートシールされたフランジ部あるいは底部装着リングの外周縁に掛かることになり、この部分から内袋、あるいは、バッグが破袋するという問題があり、この問題の解決が要望されていた。特に、出し入れ口（あるいは取付部材）５０２は、通常、袋の一方の短い端縁側に寄った略中央部に取り付けられるために、他方の短い端縁側に位置するヒートシールされたフランジ部５０４あるいは底部装着リングの外周縁に流動性内容物の重量が集中的に掛かるために、この部分（図８において、符号Ｐで示す領域）にピンホールやエッジ切れによる破袋が生じ易いといった不都合があった。
【０００９】
そこで本発明は、外装容器内に収容されると共に前記外装容器の開口部に装着して支持される注出口を有する包装袋であって、保管や輸送において包装袋に充填されたレジスト液等の流動性内容物の重量が掛かっても、ピンホールやエッジ切れにより破袋を起こすおそれがなく、また、流動性内容物への不純微粒子（パーティクルともいう）等の不純物や金属イオンの浸出が少なくてクリーン度（袋体を形成している樹脂組成物から薬液中にパーティクル等が浸出し、薬液を不純化する度合い）に優れる注出口付き包装袋を提供することである。
【課題を解決するための手段】
【００１０】
本発明者らは、包装袋本体を少なくとも２枚以上のフィルムの外周辺にヒートシール部を形成して袋体とすると共に、ヒートシール部の所定位置であって、ヒートシール部のシール面間に注出口の一部を接合させた注出口付き包装袋とすることで、保管や輸送において流動性内容物の重量が掛かっても、破袋を起こすおそれがなく、また、流動性内容物へのパーティクル等の不純物や金属イオンの浸出が少なくてクリーン度を高く維持できることを見出して、本発明を完成するに至った。
【００１１】
より具体的には、本発明は以下のようなものを提供する。
【００１２】
（１）  外装容器の内袋として使用され、包装袋本体に注出口が接合されてなる注出口付き包装袋であって、前記包装袋本体は外装容器内に収容可能であると共に、前記注出口は前記外装容器の開口部に着脱可能であり、前記包装袋本体は、少なくとも２枚以上のフィルムの外周辺にヒートシール部を形成して袋体とすると共に、このヒートシール部の所定位置であって、前記ヒートシール部のシール面間に前記注出口の一部が接合されている注出口付き包装袋。
【００１３】
（１）の発明による注出口付き包装袋は、包装袋本体が少なくとも２枚以上のフィルムの外周辺にヒートシール部を形成した袋体に、ヒートシール部の所定位置であって、前記ヒートシール部のシール面間に前記注出口の一部が接合されているので、強度に優れ、包装袋内に充填されるレジスト液等の内容物への不純物の浸出が極めて少なくクリーン度が高いと共に、保管や輸送において包装袋に充填されたレジスト液等の流動性内容物の重量が掛かっても、ピンホールやエッジ切れにより破袋を起こすおそれがない。
【００１４】
また、この注出口付き包装袋は外装容器の内部に収容されて、工業薬品、医療品や化粧品原料等の薬液の保管や輸送に供せられるが、この際、注出口は外装容器の開口部に装着されて係止されるので、包装袋本体が外装容器の開口部で吊下げるようにして支持される。本発明の注出口付き包装袋は、注出口が外周辺に形成されたヒートシール部に設けられているので、図８に示す従来の包装袋のように、充填された内容物の重量が内袋あるいはバッグに熱溶着して取り付けられた出し入れ口あるいは取付部材の特定領域（図８中のＰで示す領域）に集中的に掛かるのではなく、融着面全体に掛かるので、この部分にピンホールやエッジ切れによる破袋が生じ難い。
【００１５】
（２）  前記注出口は、前記外装容器の開口部に係止して前記包装袋本体を支持可能に構成されている（１）記載の注出口付き包装袋。
【００１６】
（２）の態様によれば、注出口は、外装容器の開口部に係止して包装袋本体を支持可能に構成されているので、注出口付き包装袋は容易に取り替えることができることになり、使用済みの包装袋を外装容器から取り出し、新たな包装袋を外装容器内にセットするだけで再使用することができる。
【００１７】
（３）  前記注出口は、前記シール面で熱接合可能な合成樹脂製である（１）又は（２）記載の注出口付き包装袋。
【００１８】
（３）の態様によれば、注出口は、包装袋本体のシール面で熱接合可能な合成樹脂製であるので、包装袋本体をヒートシールして袋体に形成する際に注出口も同時に熱融着して包装袋本体に熱接合できることになり、接着剤等による接合に比較して注出口付き包装袋を効率よく成形することができる。また、熱接合であるため、注出口と包装袋本体のフィルムとが一体化されるので、シール性、接着性に優れる。
【００１９】
（４）  前記注出口の一部は、前記シール面と面接合可能な注出口取付部を備える（１）から（３）いずれか記載の注出口付き包装袋。
【００２０】
（５）  前記面接合可能な注出口取付部は、全体として断面形状が凸レンズ状の柱体をなしており、この柱体の側面が接合面である（４）記載の注出口付き包装袋。
【００２１】
（６）  前記接合前の前記凸レンズ状の柱体の両終端部には板状のリブ部が延出して形成されており、このリブ部を含めて前記接合を行って得られる（５）記載の注出口付き包装袋。
【００２２】
（４）から（６）の態様によれば、注出口取付部は包装袋本体のシール面で包装袋本体のフィルムと熱融着されて包装袋本体に熱接合されるが、注出口係合部が凸レンズ状の形状であるので、内層フィルムとの接合面積が大きく取れると共に、熱融着する際に隙間を生じないように融着できる。さらに、両終端部に板状リブを備えているので、熱融着する際にこの板状リブが溶融することにより、より一層隙間が生じないので、注出口と袋体とのシール性が優れることになる。
【００２３】
（７）  前記注出口がポリエチレンであり、前記包装袋本体の前記シール面はポリエチレンである（１）から（６）いずれか記載の注出口付き包装袋。
【００２４】
（７）の態様によれば、注出口がポリエチレンであり、包装袋本体のシール面がポリエチレンであるので、低温シール性に優れ、注出口を包装袋本体のフィルムと低温で熱融着することができる。また、包装袋に充填されている内容物への影響が少なく、コストも安くて汎用的である。
【００２５】
（８）  前記シール面のポリエチレンが、メタロセン触媒により重合した直鎖状低密度ポリエチレンである（７）記載の注出口付き包装袋。
【００２６】
（７）の態様によれば、ポリエチレンが、メタロセン触媒により重合した直鎖状低密度ポリエチレンであるので、分子構造の均一性が大きいことになり、引裂強度、耐衝撃強度等の機械的強度に優れ、薬液等の内容物への溶解成分がより少なく、ヒートシール性もより良好となる。
【００２７】
（９）  前記注出口がフッ素系樹脂であり、前記包装袋本体の前記シール面はフッ素系樹脂である（１）から（６）いずれか記載の注出口付き包装袋。
【００２８】
（９）の態様によれば、注出口がフッ素系樹脂であり、包装袋本体のシール面がフッ素系樹脂であるので、耐熱性、耐化学薬品性、非粘着性、低温特性に優れる。また、包装袋に充填されている内容物への影響がより少ない。フッ素系樹脂としては、例えば注出口としてはテトラフルオロエチレン・パーフルオロアルキルビニルエーテル共重合体（以下、ＰＦＡと略記する）などが、包装袋本体のシール面としては、ポリテトラフルオロエチレン（以下、ＰＴＦＥと略記する）などが特に好ましく用いられる。
【００２９】
（１０）  前記包装袋本体は、外層フィルムと内層フィルムとを少なくとも重ね合わせた多重フィルムを、前記内層フィルム同士が対向するように重ねて外周辺にヒートシール部を形成してなる（１）から（９）いずれか記載の注出口付き包装袋。
【００３０】
（１０）の態様によれば、包装袋本体の一面は、内層フィルムと外層フィルムとを少なくとも重ね合わせた多重フィルムの構成になっているので、例えば、内層フィルムに不純微粒子（パーティクル）の浸出が極めて少ないフィルムを用い、外層フィルムに延伸フィルム等の強度に優れるフィルムを用いる等により、機械的強度やクリーン度に優れ、包装袋内に充填されるレジスト液等の内容物に不純微粒子（パーティクル）の浸出を極めて少なくすることができる。もちろん、多重にすることによって耐突き刺し性など強度面の向上も図れる。
【００３１】
内層フィルムや外層フィルムは、それぞれ、単層構成、多層構成のいずれであってもよいが、特に外層フィルムは、機械的強靭性、耐屈曲性、耐突き刺し性、耐衝撃性、耐寒性、耐熱性、耐薬品性等において優れた性能が求められると共に熱融着性も求められるので、多層構成とするのが好ましい。
【００３２】
（１１）  前記内層フィルムが、ポリアミド層を芯層にして、該芯層の両面に接着層を介して熱接着性樹脂層を形成した共押出しフィルムである（１０）記載の注出口付き包装袋。
【００３３】
（１１）の態様によれば、内層フィルムが、ポリアミド層を芯層にして、該芯層の両面に接着層を介して熱接着性樹脂層を形成した共押出しフィルムであるので、強靭性、耐屈曲性、耐突き刺し性、耐衝撃性等の機械的強度に優れると共に、注出口や外層フィルムとの熱融着性も良好である。ここで、熱接着性樹脂層とは、ヒートシール等で熱融着が可能な樹脂からなる層のことを意味し、熱可塑性樹脂が好ましく挙げられる。特に好ましくはポリエチレンである。
【００３４】
（１２）  前記外層フィルムが、二軸延伸ポリアミドフィルムの一方の面に接着剤を介して熱接着性樹脂層を形成した積層フィルムである（１０）又は（１１）記載の注出口付き包装袋。
【００３５】
（１２）の態様によれば、外層フィルムが、二軸延伸ポリアミドフィルムの一方の面に接着剤を介して熱接着性樹脂層を形成した積層フィルムであるので、強靭性、耐屈曲性、耐突き刺し性、耐衝撃性等の機械的強度に優れると共に、内層フィルムとの熱融着性も良好である。
【００３６】
（１３）  前記包装袋本体は、前記ヒートシール部の内縁の角部が円弧状に形成されている（１）から（１２）いずれか記載の注出口付き包装袋。
【００３７】
（１３）の態様によれば、ヒートシール部の内縁の角部が円弧状に形成されているので、包装袋に充填された内容物を排出する際に、ヒートシール部の内縁の角部に残ることなく排出することができる。
【００３８】
（１４）  レジスト液を収容するために用いられる（１）から（１３）いずれか記載の注出口付き包装袋。
【００３９】
（１５）  前記レジスト液の体積収容量が１Ｌ以上２５０Ｌ以下である（１４）記載の注出口付き包装袋。
【００４０】
（１４）の態様によれば、本発明の注出口付き包装袋は、強度に優れると共に、外装容器に容易に着脱可能である。また、溶剤などに対する化学的耐久性も高い。このため、レジスト液の収容に特に好適である。この場合、レジスト液の収容量は、例えば１Ｌ以上２５０Ｌ以下であるが、本発明の包装袋は強度に優れ、特に注出口と包装袋本体とのシール強度に優れるので、（１５）の態様のような重量物の収容に特に好適に用いられる。
【発明の効果】
【００４１】
本発明の注出口付き包装袋は、上記（１）〜（１５）のいずれかに記載の構成とすることにより、保管や輸送において流動性内容物の重量が掛かっても、ピンホールやエッジ切れにより破袋を起こすおそれがない。また、片面に少なくとも２枚以上のフィルムを重ね合わせた多重フィルム構造とした場合には、包装袋本体は、強靭性、耐屈曲性、耐突き刺し性、耐衝撃性等の機械的強度に優れると共に、充填された内容物へのパーティクル等の不純物や金属イオンの浸出が少なくてクリーン度を高く維持することができるという優れた効果を奏するものである。
【発明を実施するための最良の形態】
【００４２】
以下、図面を参照して本発明を実施するための最良の形態を説明する。
【００４３】
＜全体構成＞
図１は本発明に係る注出口付き包装袋の一実施形態を示す平面図であり、図２（ａ）は注出口の縦断面図（図２（ｂ）のＣ−Ｃ断面）、（ｂ）は注出口の注出口取付部側から見た底面図であり、図３は本発明に係る注出口付き包装袋に用いる多重フィルムの一実施形態の層構成を示す模式図であり、図４は、本発明に係る注出口付き包装袋に用いる多重フィルムの他の実施形態の層構成を示す模式図である。
【００４４】
本発明に係る注出口付き包装袋１は、外層フィルム２０と内層フィルム２１とを少なくとも重ね合わせた多重フィルム２を、内層フィルム２１同士が対向するように再度重ねあわせて合計４枚とし、その四辺をヒートシールしてヒートシール部１０を形成した包装袋本体３と、この包装袋本体３の一辺のヒートシール部１０（図１中の上辺）の前記内層フィルム２１間に予め熱融着された注出口４とを備えている。
【００４５】
尚、本実施形態では、包装袋本体３は多重フィルム２を内層フィルム２１同士が対向するようにして積層し、四辺をヒートシールしてヒートシール部１０を形成しているが、これに限定されるものではなく、例えば、多重フィルム２を内層フィルム２１同士が対向するようにして折り曲げた後、重なり合った外周辺の三辺をヒートシールして形成してもよい。また、ヒートシール部１０の内縁角部はその内縁が弧状に形成してもよい。これによって、角部に流動性内容物が残存し難い構造となる。また、必ずしも多重フィルムでなくてもよく、包装袋本体のフィルム構成は内容物や量に応じて適宜選定できる。
【００４６】
＜注出口＞
注出口４は、注出口取付部４０と、該注出口取付部４０の一方に連接する注出口係合部４１とからなり、図１に示すように、注出口取付部４０で多重フィルム２の内層フィルム２１間に熱融着されている。注出口取付部４０を含むヒートシール部１０においては、注出口取付部４０のシール部Ａ１のシール幅に比べて、シール部Ａ１以外の左右のシール部Ａ２のシール幅が全体的に広くなるように、テーパー（又は段差でもよい）Ｔ１が形成されている。このテーパーＴ１により、図１の矢印方向にかかる袋の内圧を、シール部Ａ２のシール側辺Ａ２１で受け止めることができる。これにより、注出口取付部４０にかかる圧、特にシール側辺Ａ１１の両端部Ｘ付近にかかる圧を軽減し、輸送中に生じる繰り返しの振動などによる、エッジ切れ等を防止することができる。
【００４７】
注出口４の注出口取付部４０は、図２（ａ）、（ｂ）に示すように、断面形状が凸レンズ状で中央部に貫通穴４０１を有する柱体であって、両先端部に板状リブ４０２を備える。通常、注出口４を注出口取付部４０で多重フィルム２の内層フィルム２１間に熱融着する際に、内層フィルム２１間と注出口取付部４０の端部で囲まれる２つの領域に隙間ができて密封不良となり易い。これを防止するために両端に板状リブ４０２を設け、熱融着時にこの板状リブ４０２を溶融することにより隙間ができないように構成している。
【００４８】
なお、この実施形態においては、図２（ａ）に示すように、板状リブ４０２の両下方の角部Ｙには、注出口取付部４０の高さ方向の幅より狭くなるように段部Ｔ２が設けられている。この段部Ｔ２により、注出口４接着後に角部ＹにＰＥ（ポリエチレン）等の樹脂溜りが出ても、角部Ｙが鋭利な角にならない様に考慮されている。これにより、上記と同様に、輸送中に生じる繰り返しの振動などによる、角部Ｙのエッジ切れを防止できる。
【００４９】
注出口係合部４１は、図２（ａ）に示すように、断面形状が略Ｕ字形状の筒状部４１１と、その上端周縁にフランジ部４１２を備えている。筒状部４１１の底部には、開口が複数個形成されていてもよい。これによって、注出口付き包装袋１と外装容器内との間に通気を確保することができる。すなわち、使用時に流体を汲み出す際には、この開口と通じて注出口付き包装袋１と外装容器内との間に気体を封入することで、包装袋本体３の外部から圧力をかけて内部の流体の汲み出しをスムースに行うことができる。
【００５０】
フランジ部４１２は、注出口４の注出口係合部４１を収容する外装容器に形成された注出口係合部４１の高さ方向の寸法より短い略円筒の突出した開口部の上周端に当接、係止することにより注出口付き包装袋１が外装容器内で支持される構造となっている（図７参照）。
【００５１】
注出口４は、好ましくは射出成形法にて製造される。これに用いる樹脂としては射出成形可能な樹脂であれば特に限定するものではないが、多重フィルム２の内層フィルム２１の内面を構成する樹脂と熱接着により接合されて注出口付き包装袋１となるために、内層フィルム２１の内面を構成する樹脂により適宜選択する必要があるが、通常は高温時でも剛性があり、低温時において脆化し難い高密度ポリエチレンが好適である。
【００５２】
＜包装袋本体＞
次に、包装袋本体３を構成する多重フィルム２について説明する。この実施形態においては、多重フィルム２は外層フィルム２０と内層フィルム２１とで少なくとも構成される。図３は内層フィルム２１が単層の場合の例であり、図４は内層フィルム２１が３層の場合の例である。
【００５３】
＜外層フィルム＞
外層フィルム２０は、単層構成、多層構成のいずれであってもよいが、機械的強靭性、耐屈曲性、耐突き刺し性、耐衝撃性、耐寒性、耐熱性、耐薬品性等において優れた性能と、内層フィルム２１に対するヒートシール性とが求められるため、材質の選定やコスト面等から多層構成とするのが好ましい。
【００５４】
尚、包装袋の内容積が少なくて、充填される内容物の重量が少ない等で機械的強度を余り要求されない場合には単層構成としてもよい。
【００５５】
本実施形態においては、基材層２００と熱接着性樹脂層２０１との複層構成とし、基材層２００としては、ポリエステル系、ポリアミド系、ポリプロピレン系、ポリエチレン系、ポリアセタール系等の樹脂からなるフィルムを用いることができ、一軸方向ないし特に二軸方向に延伸した延伸フィルムが適当であるが、本発明の注出口付き包装袋１は、外装容器内に収容されて保管、輸送され、特に、輸送においては流動性内容物が袋内で激しく揺動するために、この揺動によって発生するピンホールやクラックを防止する必要があり、二軸延伸ポリアミドフィルムであるのが好ましい。フィルムの厚さとしては基材としての強度、剛性などについて必要最低限に保持され得る厚さであればよく、コストなどを勘案して決めればよい。
【００５６】
また、外層フィルム２０を構成する熱接着性樹脂層２０１としては、例えば、低密度ポリエチレン、中密度ポリエチレン、高密度ポリエチレン、直鎖状（線状）低密度ポリエチレン、ポリプロピレン、エチレン−αオレフィン共重合体、エチレン−プロピレン共重合体、エチレン−酢酸ビニル共重合体、アイオノマー樹脂、エチレン−アクリル酸共重合体、エチレン−アクリル酸メチル共重合体、エチレン−メタクリル酸共重合体等の樹脂の一種ないしそれ以上からなる樹脂を挙げることができ、流動性内容物の種類により適宜選択して用いることができるが、一般的には、低温シール性に優れることからポリエチレンが好ましく、さらには分子量分布が狭く、ヒートシール強度において優れると共に流動性内容物への影響が少ないメタロセン触媒を用いて重合された直鎖状（線状）低密度ポリエチレン（後述詳細する）が好ましい。
【００５７】
また、前記外層フィルム２０には、酸素や水蒸気等のガスバリアー性を付与するために基材層２００と熱接着性樹脂層２０１との間に、必要に応じて中間層を設けてもよい。この中間層を構成する材料としては、例えば、アルミニウム、鉄、銅、錫等の金属箔、あるいは、ポリビニルアルコール、エチレン−ビニルアルコール共重合体、ポリ塩化ビニリデン等のフィルム、あるいは、ポリエステル、ポリアミド、ポリエチレン，ポリプロピレン，エチレン−プロピレン共重合体等のポリオレフィン、ビニルアルコール等のフィルムにポリ塩化ビニリデンを塗布したフィルム、ないしはアルミニウム、酸化珪素、酸化アルミニウム、酸化インジウム、酸化錫、酸化ジルコニウム等の無機物の蒸着層を施したフィルムなどを用いることができる。
【００５８】
また、この中間層は上記したガスバリアー性を付与するのみならず、例えば、機械的強靭性、耐屈曲性、耐突き刺し性、耐衝撃性、耐寒性、耐熱性、耐薬品性等の機能を付与することができる。上記したガスバリアー性を付与する材料と、例えば、ポリエステル、ポリアミド、ポリエチレン，ポリプロピレン，エチレン−プロピレン共重合体等のポリオレフィン等のフィルムと組み合わせて用いても構わない。
【００５９】
また、基材層２００として、上記したフィルムにポリ塩化ビニリデンを塗布したものや、酸化珪素、酸化アルミニウム、酸化インジウム、酸化錫、酸化ジルコニウム等の無機物の蒸着層を形成したものを用いてもよい。
【００６０】
また、外層フィルム２０の各層を積層する積層方法としては、基材層２００の一方の面に、例えば、有機チタネート、ポリエチレンイミン誘導体、シランカップリング剤、イソシアネート系化合物等のアンカーコーティング剤を塗布乾燥した後に熱接着性樹脂層２０１をＴダイ押出機で加熱溶融押出しして積層してもよいし、また、熱接着性樹脂層２０１をフィルム状態で用意してサンドイッチラミネーション法で積層してもよいし、また、ポリオール成分とイソシアネート成分からなる２液硬化型ポリウレタン系接着剤を用いて周知のドライラミネーション法で積層してもよい。また、当然のことであるが、各層の必要な面に必要に応じて、コロナ放電処理、オゾン処理、プラズマ処理等の易接着処理を施してもよい。
【００６１】
＜内層フィルム＞
次に、内層フィルム２１について説明する。内層フィルム２１は図３のように単層構成であってもよいし、また、ピンホールやクラックを外層フィルム２０と協働して防止する意味から、あるいは、多重フィルム２からなる注出口付き包装袋１自体の抗張力強度やヒートシール強度等の強度を向上させる意味から図４のような多層構成としてもよい。
【００６２】
単層構成の場合、外層フィルム２０の熱接着性樹脂層２０１と熱接着可能な樹脂である必要があり、熱接着性樹脂層２０１に用いる樹脂の種類により、適宜選択して用いればよいものであるが、外層フィルム２０の熱接着性樹脂層２０１で説明した理由により、ポリエチレン、さらには、メタロセン触媒を用いて重合された直鎖状（線状）低密度ポリエチレンが好ましい。
【００６３】
上記のように、注出口４は、通常は高温時でも剛性があり、低温時において脆化し難い高密度ポリエチレンが好適であり、そういう意味からしても内層フィルム２１の内面を構成する熱接着性樹脂層としてはポリエチレン、さらにはメタロセン触媒を用いて重合された直鎖状（線状）低密度ポリエチレンが好ましい。
【００６４】
メタロセン触媒を用いて重合された直鎖状（線状）低密度ポリエチレン、すなわち、メタロセン触媒を使用して重合したエチレン−α・オレフィン共重合体は、例えば、二塩化ジルコノセンとメチルアルモキサンの組み合わせによる触媒等のメタロセン錯体とアルモキサンとの組み合わせによる触媒、すなわち、メタロセン触媒を使用して、エチレンとα・オレフィンとを共重合してなるエチレン−α・オレフィン共重合体を使用することができる。上記のメタロセン触媒は、現行の触媒が、活性点が不均一でマルチサイト触媒と呼ばれているのに対し、活性点が均一であることからシングルサイト触媒とも呼ばれているものである（以下、メタロセン触媒は、シングルサイト触媒と同等の意味である。）。具体的には、メタロセン触媒を使用して重合したエチレン−α・オレフィン共重合体としては、三菱化学株式会社製の商品名「カーネル」、三井石油化学工業株式会社製の商品名「エボリュー」、米国、エクソン・ケミカル（ＥＸＸＯＮＣＨＥＭＩＣＡＬ）社製の商品名「エクザクト（ＥＸＡＣＴ）」、米国、ダウ・ケミカル（ＤＯＷ  ＣＨＥＭＩＣＡＬ）社製の商品名「アフィニティー（ＡＦＦＩＮＩＴＹ）」、商品名「エンゲージ（ＥＮＧＡＧＥ）」等のメタロセン触媒を用いて重合したエチレン−α−オレフィン共重合体を使用することができる。
【００６５】
上記のメタロセン触媒を用いて重合したエチレン−α・オレフィン共重合体についてさらに詳述すると、具体的には、例えば、メタロセン系遷移金属化合物と有機アルミニウム化合物との組み合わせによる触媒、すなわち、メタロセン触媒（いわゆるカミンスキ−触媒を含む）を使用し、エチレンとα・オレフィンとを共重合させてなるエチレン−α・オレフィン共重合体を使用することができる。なお、上記のメタロセン触媒は、無機物に担持されて使用されることもある。上記において、メタロセン系遷移金属化合物としては、例えば、ＩＶＢ族から選ばれる遷移金属、具体的には、チタニウム（Ｔｉ）、ジルコニウム（Ｚｒ）、ハフニウム（Ｈｆ）に、シクロペンタジエニル基、置換シクロペンタジエニル基、インデニル基、置換インデニル基、テトラヒドロインデニル基、置換テトラヒドロインデニル基、フルオニル基又は置換フルオニル基が１ないし２個結合しているか、あるいは、これらのうちの二つの基が共有結合で架橋したものが結合しており、他に水素原子、酸素原子、ハロゲン原子、アルキル基、アルコキシ基、アリール基、アセチルアセトナート基、カルボニル基、窒素分子、酸素分子、ルイス塩基、ケイ素原子を含む置換基、不飽和炭化水素等の配位子を有するものを使用することができる。また、上記において、有機アルミニウム化合物としては、アルキルアルミニウム、又は鎖状あるいは環状アルミノキサン等を使用することができる。ここで、アルキルアルミニウムとしては、例えば、トリエチルアルミニウム、トリイソブチルアルミニウム、ジメチルアルミニウムクロリド、ジエチルアルミニウムクロリド、メチルアルミニウムジクロリド、エチルアルミニウムジクロリド、ジメチルアルミニウムフルオリド、ジイソブチルアルミニウムハイドライド、ジエチルアルミニウムハイドライド、エチルアルミニウムセスキクロリド等を使用することができる。また、鎖状あるいは環状アルミノキサンとしては、例えば、アルキルアルミニウムと水を接触させて生成することができる。例えば、重合時に、アルキルアルミニウムを加えておき、後に水を添加するか、あるいは、錯塩の結晶水又は有機・無機化合物の吸着水とアルキルアルミニウムとを反応させることで生成することができる。次にまた、上記において、メタロセン触媒を担持させる無機物としては、例えば、シリカゲル、ゼオライト、珪素土等を使用することができる。
【００６６】
次に、上記において、重合方法としては、例えば、塊状重合、溶液重合、懸濁重合、気相重合等の各種の重合方法で行うことができる。また、上記の重合は、バッチ式あるいは連続式等のいずれの方法でもよい。上記において、重合条件としては、重合温度、−１００〜２５０℃、重合時間、５分〜１０時間、反応圧力、常圧〜３００Ｋｇ／ｃｍ２位である。さらに、本発明において、エチレンと共重合されるコモノマーであるα・オレフィンとしては、例えば、プロピレン、１−ブテン、３−メチル−１−ブテン、４−メチル−１−ペンテン、１−ヘキセン、１−オクテン、デセン等を使用することができる。上記のα・オレフフィンは、単独で使用してもよく、また、２以上を組み合わせて使用することもできる。また、上記のα・オレフフィンの混合比率は、例えば、１〜５０重量％、望ましくは、１０〜３０重量％とすることが好ましい。本発明において、上記のメタロセン触媒を用いて重合したエチレン−α・オレフィン共重合体の物性は、例えば、分子量、５×１０３〜５×１０６、密度、０．８９０〜０．９３０ｇ／ｃｍ３、メルトフローレート〔ＭＦＲ〕、０．１〜５０ｇ／１０分位である。なお、本発明においては、上記のメタロセン触媒を用いて重合したエチレン−α・オレフィン共重合体には、例えば、酸化防止剤、紫外線吸収剤、帯電防止剤、アンチブロッキング剤、滑剤（脂肪酸アミド等）、難燃化剤、無機ないし有機充填剤、染料、顔料等を任意に添加して使用することができる。
【００６７】
図４に示すように、内層フィルム２１は、芯層２１０とその両面を熱接着性樹脂層２１１とする３層構成（後述の図示しない接着層を含めれば５層）としてもよい。この場合、芯層２１０としては、外層フィルム２０の基材層２００と同様に、機械的強靭性、耐屈曲性、耐突き刺し性、耐衝撃性、耐寒性、耐熱性、耐薬品性等において優れた性能のものであるのが好ましく、ポリエステル系、ポリアミド系、ポリプロピレン系、ポリエチレン系、ポリアセタール系等の樹脂からなる層が挙げられる。また、未延伸であっても、また、一軸方向ないし二軸方向に延伸した樹脂からなる層であってもよいが、外層フィルム２０の基材層２００と同様に、好ましくはポリアミドからなる層であり、このポリアミド層の両面に熱接着性樹脂層２１１を備えた構成が特に好ましい。
【００６８】
芯層２１０の両面に設ける熱接着性樹脂層２１１としては、一方が外層フィルム２０の熱接着性樹脂層２０１と熱接着することができ、他方が上記した高密度ポリエチレンからなる注出口４と熱接着することができる樹脂からなることが前提であり、外層フィルム２０の熱接着性樹脂層２０１で説明した理由により、ポリエチレンが適当であり、さらには、上記のメタロセン触媒を用いて重合された直鎖状（線状）低密度ポリエチレンが最も好ましい。
【００６９】
多層構成の場合の内層フィルム２１の積層方法としては、各層を外層フィルム２０で説明した積層方法で積層してもよいが、製造コストを安価なものとすることができる等の理由から、５層（熱接着性樹脂層２１１／接着層／芯層２１０／接着層／熱接着性樹脂層２１１）を一度に積層することができる共押出し法を用いて積層するのが好適である。
【００７０】
尚、熱接着性樹脂層２１１がポリエチレンやポリプロピレンに代表されるポリオレフィンの場合、接着層としては不飽和カルボン酸でグラフト変性したポリオレフィン、例えば、アドマー〔三井石油化学（株）製：商品名〕、モディック〔三菱化学（株）製：商品名〕、ポリタック〔出光石油化学（株）製：商品名〕を好適に用いることができる。
【００７１】
＜その他の構成＞
また、図示はしないが、本発明においては、外層フィルム２０と内層フィルム２１の間に中間層フィルムを設け、３重以上の多重フィルム２としてよいものである。中間層フィルムとしては、注出口付き包装袋１に求められる物性に応じて設けられるものであり、例えば、図３に示した外層フィルム２０の熱接着性樹脂層２０１で説明した樹脂からなる単層のフィルムを用いてもよいし、また、外層フィルム２０の基材層２００が表出する面に熱接着性樹脂層２０１を積層した構成からなるものを用いてもよいし、また、図４に示した内層フィルム２１で説明した層構成からなるものであってもよいものである。いずれにしても、外層フィルム２０、中間層フィルム、内層フィルム２１のそれぞれ対向する熱接着性樹脂層は互いに熱接着することができる樹脂の組み合わせとするのが好ましい。
【００７２】
なお、本発明における包装袋本体を構成するフィルムは、最内面同士がヒートシール可能な構成であれば、必ずしも多重フィルムである必要はなく、例えば１対の外層フィルム２０のみを用いた通常の構成であってもよい。
【００７３】
また、注出口４や内層フィルム２１として、上記の高密度ポリエチレンの他に、例えば耐熱性、耐化学薬品性、非粘着性であり、低温特性にも優れるテトラフルオロエチレン・パーフルオロアルキルビニルエーテル共重合体（以下、ＰＦＡと略記する）やポリテトラフルオロエチレン（以下、ＰＴＦＥと略記する）等のフッ素系樹脂を用いてもよい。この場合、包装袋本体３を構成する多重フィルム２もＰＴＦＥフィルムを用いることが好ましい。
【００７４】
＜使用方法＞
本発明の注出口付き包装袋１は、図７（ａ）に示すように、外装容器５の開口部５１から外装容器５の内部に挿入され、図７（ｂ）に示すように、注出口４が外装容器５の開口部５１に装着される。この際、外装容器５の開口部５１は、注出口係合部４１の高さ方向の寸法より短い略円筒の突出した形状になっていて、図２のフランジ部４１２が、開口部５１の上周端に当接することにより、注出口付き包装袋１が外装容器内で支持される。
【００７５】
その後、この状態で、所定の方法で内容物である流体を注出口４から導入し、その後、最終的には、例えば開口部５１を密封すると共に、注出口４も封止、固定可能な蓋材（図示せず）で覆うことにより、外装容器５は流通、移送が可能な状態となる。
【００７６】
そして、流体の使用時、すなわち流体を汲み出す際には、注出口４から汲み出すことができる。
【００７７】
このように、本発明の注出口付き包装袋は、外装容器に収容されて、工業薬品分野、医薬品や化粧品原料分野等で流動性内容物の保管や輸送に供せられる。なかでも、レジストメーカーと半導体などのデバイスメーカーとの間を繰り返し移送されるレジスト収容容器は、高い強度と衛生性が要求されるものであり、また、その移送形態も、１Ｌから２５０Ｌ程度まで種々の容量への対応が必要である。
【００７８】
この点、本発明の注出口付き包装袋は、外装容器と内層容器を適宜選択することにより、種々の容量のバリエーションに適宜対応できる。また、外装容器への着脱も容易であるから、作業性、衛生性にも優れるものである。
【００７９】
なお、外装容器５としては、例えば金属製、合成樹脂製、段ボール等の紙製の剛性容器が例示できるが、特にこれらに限定されるものではない。
【実施例】
【００８０】
次に、本発明について、以下に実施例を挙げてさらに詳しく説明するが、本発明はこれらの実施例に限定されるものではない。
【００８１】
下記する実施例、比較例に用いる包装袋の構成としては、外層フィルムとして、ＯＮ（二軸延伸ポリアミド）フィルム２５μｍ／ウレタン系接着剤３μｍ／ＬＬＤＰＥフィルム４０μｍからなる２層積層体を用い、内層フィルムとして、ＬＬＤＰＥ層２５μｍ／接着層１０μｍ／ナイロン層１５μｍ／接着層１０μｍ／ＬＬＤＰＥ層２０μｍからなる５層共押出しフィルムを用いた。尚、外層フィルムのＬＬＤＰＥフィルムとしては、メタロセン触媒を用いて重合された直鎖状低密度ポリエチレンフィルム（ＤＮＰテクノフィルム社製の「ＳＲ−ＵＥＮ」）を用いた。また、内層フィルムのＬＬＤＰＥ層としては、メタロセン触媒を用いて重合された直鎖状低密度ポリエチレン樹脂（宇部興産株式会社製のＵＢＥスーパーポリエチレン「ユメリット」）を用いた。
【００８２】
［実施例１］
内層フィルムの２５μｍ厚さのＬＬＤＰＥ層が内容物側となるようにして、高密度ポリエチレン製注出口を一方の短辺にヒートシールすることにより取り付けた２重フィルムからなる図１に示す内寸が３８０ｍｍ×７１５ｍｍの四方シールタイプの注出口付き包装袋を作製した。尚、高密度ポリエチレン製注出口の注出口係合部のフランジ部外周直径は５３．９ｍｍ、フランジ部の厚さは２．５ｍｍ、注出口係合部のフランジ部直下の外周直径は５０．８ｍｍ、注出口係合部の高さは３２ｍｍである。
【００８３】
［比較例１］
内層フィルムの２５μｍ厚さのＬＬＤＰＥ層が内容物側となるようにして、高密度ポリエチレン製注出口を一方の短辺側の位置に開けた穴に通して底部装着リングの部分でヒートシールすることにより取り付けた２重フィルムからなる図８に示す内寸が３８０ｍｍ×７１５ｍｍの四方シールタイプの比較例１とする注出口付き包装袋を作製した。尚、高密度ポリエチレン製注出口のフランジ部外周直径は５３．９ｍｍ、フランジ部の厚さは２．５ｍｍ、フランジ部直下の外周直径は５０．８ｍｍ、フランジ部と底部装着リング間の長さは２５ｍｍである。
【００８４】
上記で作製した実施例１、比較例１の注出口付き包装袋を直径が２２７．６ｍｍ、高さが５００ｍｍの略円筒形状の底面に糸底を有すると共に天面の中央部に内径が５０．８ｍｍ、突出長さが１５．０ｍｍの筒状開口部を有するステンレス製容器の筒状開口部から挿入して、筒状開口部の上周面にフランジ部を当接させた状態にセットし、その後に注出口から水を１８Ｌ注入し、筒状開口部を適宜に封止手段で封止して落下試験に供するサンプルを各１０容器作製した。
【００８５】
上記で作製した容器を７０ｃｍの高さから垂直方向と水平方向の順に各１回落下させて水漏れの有無、及び、破袋箇所を目視にて確認し、その結果を表１に示した。
【００８６】
【表１】
2008007154.tif 000003
【００８７】
表１からも明らかなように、実施例１の一辺のヒートシール部に注出口を取り付けた包装袋は、比較例１の短辺側の位置に注出口を取り付けた包装袋に比べて落下衝撃に強く、落下衝撃による破袋のおそれのない包装袋とすることができた。
【００８８】
［比較例２］
従来から使用されている以下の構成の包装袋を比較例２として、実施例１の包装袋と比較例２とについて、包装袋の物性、クリーン度、パーティクルの浸出度合いを検討した。従来の包装袋の構成は、外層フィルムが、ＰＥ１５μｍ／ＰＥ３５μｍ／ＰＥ２０μｍの３層共押出しフィルム、内層フィルムが、ＬＬＤＰＥ１５μｍ／ＰＥ１０μｍ／ＮＹ２０μｍ／ＰＥ１０μｍ／ＰＥ１０μｍ（内容物側がＬＬＤＰＥ）の５層フィルムからなる二重フィルム構成である。
【００８９】
上記で作製した実施例１及び比較例２について、包装袋のヒートシール部のシール強度、注出口と包装袋との接着強度、包装袋の突刺強度及び耐ゲルボ性、パーティクルを測定して表２に示した。また、包装袋に薬液を充填した場合について、薬液中の微小不純固形物量、水分量、金属不純物溶出量、イオン成分量、不揮発分量、薬液の粘度の経時変化及び所定時間経過後の薬液を塗布した際に形成される塗膜の膜厚について測定しその結果を表３に示した。尚、各種強度他の測定は下記の方法により測定した。また、薬液としてはフォトレジスト組成物（商品名：ＴＦＲ−７９０ＰＬ、東京応化工業社製）を使用した。
【００９０】
＜シール強度の測定＞
包装袋の注出口を融着したヒートシール部以外の残りのヒートシール部の略中央部分から幅１５ｍｍに引っ張り試験体を採取して、ＪＩＳ−Ｚ１７０７に準じて測定した。尚、試験片を採取した部位は図１中に示したＢ１、Ｂ２、Ｂ３とした。
【００９１】
＜注出口と包装袋との接着強度の測定＞
注出口と袋体とを融着した部分から、図５、図６中の一点破線部Ｘで示すように１５ｍｍ幅で試験体を採取して、ＪＩＳ−Ｚ１７０７に準じて測定した。図５は実施例における試験片の採取箇所を示す図であり、図６は比較例における試験片の採取箇所を示す図である。
【００９２】
＜突刺強度の測定＞
昭和５７年厚生省告示第２０号、「器具又は容器包装一般の試験方法」に準じて測定した。内層フィルムと外層フィルムを重ねた状態で、内層側及び外装側から測定した。
【００９３】
＜耐ゲルボ性の測定＞
内層フィルムと外層フィルムを重ねた状態で、ゲルボ試験（試験機：ゲルボフレックステスター）を実施し、ゲルボ回数１０００回及び２０００回後に、内層フィルムと外層フィルムそれぞれのピンホール数をカウントした。尚、試験は常温、常湿の環境下で行った。
【００９４】
＜パーティクルの測定＞
試料に超純水を入れ、袋内に超純水が行き渡る様に１０秒間軽く揺すり、その後、２０分間静置する。前記処理を行った液を、液中粒子計数器により測定した。
【００９５】
＜薬液中の微小不純固形物量の測定＞
パーティクルカウンター（Ｒｉｏｎ社製、製品名：パーティクルセンサー  ＫＳ−４１）を用いて、パーティクル数を測定した。
【００９６】
＜薬液中の水分量の測定＞
カールフィッシャー水分計にて測定した。
【００９７】
＜薬液中の金属不純物溶出量、イオン成分量、不揮発分量の測定＞
金属不純物溶出量はＩＣＰ発光分光光度計にて測定した。イオン成分量は、イオンクロマトグラフィーにて測定した。また、不揮発分量は、初期の値に対する蒸発後重量の増加割合である。
【００９８】
＜薬液の粘度の測定＞
キャノンフェンスケ粘度計にて測定した。
【００９９】
＜塗膜の膜厚の測定＞
６インチシリコンウエーハ上に回転塗布（３０００ｒｐｍ）し、ホットプレート上で１９０℃、９０秒乾燥して形成された塗膜の膜厚を測定した。
【０１００】
【表２】
2008007154.tif 000004
【０１０１】
【表３】
2008007154.tif 000005
【０１０２】
表２に示すように、実施例１の包装袋は、ヒートシール部のシール強度、注出口と包装袋との接着強度、包装袋の突刺強度のいずれにおいても、比較例２の包装袋に比べ優れる結果であった。また、ピンホールの個数やパーティクルの個数が少ない結果であった。
【０１０３】
また、表３に示すように薬液を充填した場合でも、薬液中へのパーティクル、金属不純物溶出、イオン成分、不揮発分の浸出度合いや薬液の粘度、水分量の変化のいずれについても、比較例２と略同等であった。
【０１０４】
これらの結果より、本発明の包装袋は、機械的強度に優れていると共に、レジスト液等の内容物を貯蔵、輸送及び取り扱う際に破袋が起こり難く、また、薬液へのパーティクル他の浸出が少ないことが確認された。
【図面の簡単な説明】
【０１０５】
【図１】本発明に係る注出口付き包装袋の一実施形態を示す平面図である。
【図２】前記実施形態による注出口付き包装袋の注出口を示す図であって、（ａ）は注出口の縦断面図、（ｂ）は注出口の注出口取付部側から見た底面図である。
【図３】前記実施形態による注出口付き包装袋に用いる多重フィルムの一実施例を示す層構成を示す模式図である。
【図４】前記実施形態による注出口付き包装袋に用いる多重フィルムの他の実施例を示す層構成を示す模式図である。
【図５】実施例の注出口付き包装袋のシール強度測定用試験体の採取部位を示す図である。
【図６】比較例の注出口付き包装袋のシール強度測定用試験体の採取部位を示す図である。
【図７】前記実施形態による注出口付き包装袋の外装容器への収容状態を示す図であり、（ａ）は注出口付き包装袋を外装容器に挿入する状態を示す部分斜視図、（ｂ）は外装容器に注出口付き包装袋が収容された後の状態を示す部分斜視図である。
【図８】従来の注出口付き包装袋の一実施例を示す斜視図である。
【符号の説明】
【０１０６】
１    注出口付き包装袋
２    多重フィルム
３    包装袋本体
４    注出口
１０    ヒートシール部
２０    外層フィルム
２１    内層フィルム
４０    注出口取付部
４１    注出口係合部
２０１，２１１    熱接着性樹脂層
２１０    芯層
４０１    貫通穴
４０２    板状リブ
４１１    筒状部
４１２    フランジ部
【図１】
2008007154.tif 000006
【図２】
2008007154.tif 000007
【図３】
2008007154.tif 000008
【図４】
2008007154.tif 000009
【図５】
2008007154.tif 000010
【図６】
2008007154.tif 000011
【図７】
2008007154.tif 000012
【図８】
2008007154.tif 000013